(57)【要約】      （修正有）【課題】フロント部の両側に継手を介して折畳み出来るように取付けたツルであって、外方向へ撓み変形することが出来るメガネフレームのツルを提供する。【解決手段】フロント部１の両側に蝶番６などの継手を介して折畳み出来るように取付けたツル２が、メガネを掛ける際の開いた状態からさらに外方向へ僅かに押し開くことが出来る。ツル２において、該ツル２は継手と連結する基部１２との間に隙間を残して板バネ９にて中間部８を繋ぎ、該中間部８との間に隙間を残して板バネ９にてツル本体部１３を繋いで構成した。【選択図】図１
0003208601.tif 000002
【実用新案登録請求の範囲】
【請求項１】
フロント部の両側に蝶番などの継手を介して折畳み出来るように取付けたツルが、メガネを掛ける際の開いた状態からさらに外方向へ僅かに押し開くことが出来るツルにおいて、該ツルは上記継手と連結する基部との間に隙間を残して板バネにて中間部を繋ぎ、該中間部との間に隙間を残して板バネにてツル本体部を繋いで構成したことを特徴とするメガネフレームのツル。
【請求項２】
上記中間部を間に隙間を残して複数個設けた請求項１記載のメガネフレームのツル。
【請求項３】
上記板バネには内側へ突出したバネ部を形成した請求項１、又は請求項２記載のメガネフレームのツル。
【考案の詳細な説明】
【技術分野】
【０００１】
本考案はメガネを掛けた際にツルが適度な圧力で顔側面及び側頭部を押圧することが出来るようにしたバネ蝶番を備えた場合と同じように機能することが出来るメガネフレームのツルに関するものである。
【背景技術】
【０００２】
メガネを着用した場合、該メガネが位置ズレすることなく安定するように、フロント部から延びるツル（テンプル）は適度な押圧力が顔側面から後頭部にかけて作用するようにしている。その為に、従来ではツルの継手としてバネ蝶番と称されるものが従来から多用されている。
【０００３】
特開２００１−２９０１０８号に係る「連結構造」はメガネフレームのテンプル（ツル）とヨロイとを相対的に回動可能に連結するもので、テンプルの一端に二又に分岐させて形成した一対の片体を設けて水平方向に間隙を確保し、各片体に夫々孔を穿設すると共に、各片体に対向する溝をテンプルの長手方向に沿って延設しており、この対向する溝間に付勢部材を保持され、付勢部材の付勢力によってヨロイに対して付勢される移動部材を付勢部材に係着し、テンプルの間隙に移動可能に位置させている。
【０００４】
このように、開いた状態のツルを戻し方向へのバネ力を付勢して外方向へ押し開くことが出来るように構成し、バネ力を付勢する手段としてコイルバネを用いている。すなわち、コイルバネを圧縮変形させることでバネ力を発生しているが、その為に上記コイルバネを伸縮変形させる摺動部材が必要となっている。そこで、ゴミの介入やサビの発生でこの摺動部材の摺動に支障をきたす場合、ツルの開き操作がスムーズに機能しないことになる。
【０００５】
図５には最も基本的なバネ蝶番と称される継手構造を示している。すなわち、該バネ蝶番の基本的な考えは、ヨロイ（イ）には固定蝶片（ロ）をロウ付け固定し、他方の蝶片を摺動蝶片（ハ）として一定距離の摺動を許すことによって外方向への開きをツル（ニ）に与えることが出来る。
【０００６】
ツル（ニ）にはガイド溝が形成され、摺動蝶片（ハ）はガイド溝を案内として摺動する訳であるが、上記摺動蝶片（ハ）を構成するバネケース（ホ）の内部空間（ヘ）にはコイルバネ（ト）が収まっていて、ツル（ニ）を外方向ヘ押し開く際には摺動蝶片（ハ）であるバネケース（ホ）が固定蝶片（ロ）側へ引き寄せられてコイルバネ（ト）は圧縮される。該コイルバネ（ト）はバネケース（ホ）の内部空間入口に設けられてツル（ニ）の係止溝（チ）に係止片（オ）が係止したツメ（リ）に当たり、該ツメ（リ）はストッパーとして機能している。その結果、コイルバネ（ト）の復元力がツル（ニ）に作用して、該ツル（ニ）を元の位置に戻そうとする。
【０００７】
ところで、上記バネケース（ホ）にコイルバネ（ト）を収容した蝶番構造は同図に示すごとくツル（ニ）に設けているガイドに沿ってスライドすることで機能するが、該スライド機能が損なわれて故障し易く、一旦故障すれば修理し難い等の問題もある。コイルバネ（ト）及び該コイルバネ（ト）の中心穴に挿入した芯金（ヌ）の円錐形頭部（ル）を押し込んでツメ（リ）に係止するならば、バネケース（ホ）の内部空間（ヘ）から該ツメ（リ）並びにコイルバネ（ト）及び芯金（ヌ）を取り外すことが出来ない。
【０００８】
このように、コイルバネを用いて構成したバネ蝶番はその構造が複雑であると共に故障し易い為に、該コイルバネの代わりに板バネを備えて構成したバネ蝶番も知られている。
図６は板バネを設けたバネ蝶番を示す具体例であり、基本的な形態は一般的な蝶番と同じであって、一方側蝶片（ワ）はヨロイ（イ）にロウ付けされ、他方側蝶片（カ）はツル（ニ）にロウ付けされている。
【０００９】
したがって、軸ネジ（ヨ）を中心としてツル（ニ）は旋回して開閉することが出来、開いた状態のツル（ニ）に外方向へ力が作用するならば上記蝶片（カ）を構成している板バネ（タ）は撓み変形して該ツル（ニ）は外方向へ開くことが出来る。すなわち、ツル（ニ）が開いた状態では板バネ（タ）は撓み変形しないが、さらに押し開く際には撓み変形し、外力がなくなるならば再び元の位置に戻される。
このバネ蝶番は前記図５に示すバネ蝶番に比較してその構造は簡単であり、故障して機能が損なわれることはないが、外方向へ押し開かれるツル（ニ）はヨロイ（イ）との間で折れ曲がって滑らかに連続せず、外観上好ましくない。
【００１０】
図７に示すバネ蝶番も他方の蝶片（レ）は板バネ（ソ）で構成され、該蝶片（レ）の先端はツル（ニ）にロウ付けされている。したがって、開いた状態のツル（ニ）に外方向へ力が作用するならば、板バネ（ソ）から成る蝶片（レ）は撓み変形してツル（ニ）は外方向へ押し開かれる。
ところで、同図に示すように、押し開かれたツル（ニ）はヨロイ（イ）との間で折れ曲がって不連続状態となり、外観が損なわれる。このような現象は前記図５  に示すバネ蝶番の場合も同じである。
【００１１】
【特許文献１】特開２００１−２９０１０８号に係る「連結構造」
【考案の開示】
【考案が解決しようとする課題】
【００１２】
このように、従来のバネ蝶番はツルが押し開かれた場合に、フロント部のヨロイとの間で折れ曲がった状態となり、メガネフレームとしての外観が損なわれる。本考案が解決しようとする課題はこの問題点であって、ツルを押し開いた際に、ヨロイからツルにかけて滑らかに湾曲して撓み、折れ曲がった不連続部がないようにしたメガネフレームのツルを提供する。
【課題を解決するための手段】
【００１３】
本考案が対象とするメガネフレームとしての基本的な形態は従来と同じであり、フロント部とその両側にツルを設け、該ツルは蝶番等の継手を介して折畳み出来るように取付けられている。そこで、本考案ではバネ蝶番を用いることなく一般的な継手を介してツルを取付けている。したがって、ツルの継手側が撓み変形することが出来る構造とし、その為にバネ蝶番を備えた場合と同じように機能する。
【００１４】
すなわち、開いた状態のツルを外方向へ押し開くことが出来、押圧力を取り除くならば元の状態に戻り変形することが出来る。そこで、ツルの継手側には複数の隙間を入れて間に中間部を設けている。中間部の個数は１個とする場合、又は複数個とすることもあり、これら中間部は板バネによって繋がれ、１本のツルを構成している。
ここで、板バネの形状は特に限定しないが、変形領域を大きくする為に一般的には内側に凸部を有す形態としている。
【考案の効果】
【００１５】
本考案のツルはその継手側に１個ないし複数個の中間部を設け、これら中間部は板バネにて繋がれることで１本のツルを構成している。従って、ツルを折畳む場合には継手を介して旋回し、開いた状態から外方向へ押圧力が働く際には板バネが撓み変形することでツルは外方向へ押し開かれる。押圧力が取り除かれるならば、上記板バネが戻り変形してツルは元の状態に押し戻される。すなわち、機能としてはバネ蝶番を取付けた場合と同じ作用・効果を得ることが出来る。
【００１６】
ところで。本考案のツルは継手側に中間部を設けて板バネによって繋いで構成している為に、押し開かれたツルは折れ曲がることなく滑らかに湾曲した撓み変形となり、メガネフレームの外観が損なわれることはない。
ツルの形態がいかようであっても本考案のツルとして構成することが出来る。すなわち、ツルの基部側を切り込んで中間部を作り、この中間部を板バネによって繋ぐだけでよく、該板バネは共通している。
普通に製作したツルであっても、その一部を切り込むことで中間部を作り、該中間部を板バネを介して繋ぐだけでバネ蝶番を備えた場合と同じように機能するツルを得ることが出来る。
【図面の簡単な説明】
【００１７】
【図１】本考案に係るツルを備えたメガネフレームで、（ａ）は平面図、（ｂ）は正面図を表している。
【図２】本考案に係るツルを備えたメガネフレームで側面図を表している。
【図３】板バネを示す具体例。
【図４】本考案のツルが外方向へ押し開かれた状態。
【図５】従来の一般的なバネ蝶番を示す実施例。
【図６】板バネを備えた従来のバネ蝶番。
【図７】板バネを備えた従来のバネ蝶番。
【考案を実施するための形態】
【００１８】
図１、図２は本考案に係るツルを備えたメガネフレームを示す実施例であり、図１の（ａ）は平面図、（ｂ）は正面図、図２は側面図をそれぞれ表わしている。
メガネフレームとしての基本的な形態は従来のものと同じであって、１はフロント部、２，２はツルを表し、両ツル２，２はフロント部１の両側に折畳み出来るように取付けられている。
【００１９】
上記フロント部１は、両リム３，３が連結部材４によって繋がれ、リム外側にはヨロイ５，５がロウ付けされている。そして、ヨロイ５，５には上記ツル２，２が折畳み出来るように取付けられているが、その為にヨロイ５，５との間に蝶番６，６を介在している。勿論、蝶番６，６に限るものではなく、ツル２，２が折畳み出来る継手であれば特に限定しない。
【００２０】
上記蝶番６はツル２を折畳むことは出来るが、開いた状態から外方向へ押し開くことは出来ない。その為に、本考案のツル２はその基部側（継手側）が曲げ変形して外方向へ撓み変形することが出来るように構成している。
すなわち、ツル２の基部側に隙間７，７を形成して中間部８を設けている。ツル２は通常通り製作され、このツル２の基部側の一部に隙間７，７を介在して中間部８を設けている。
【００２１】
上記中間部８は隙間７，７を設けて１本のツル２を構成しているが、隙間７，７には板バネ９を取付けている。該板バネ９は図３に示しているように、凸状に湾曲したバネ部１０ａ，１０ｂが対を成し、該バネ部１０ａ，１０ｂの間には固定部１１ｂを設け、バネ部１０ａの外側とバネ部１０ｂの外側には固定部１１ａと１１ｃを設けている。
【００２２】
ところで、ツル２は蝶番６と連結している基部１２、中間部８、及び本体部１３を有し、これら基部１２、中間部８、本体部１３は板バネ９にて繋がれてツル２を構成している。板バネ９の固定部１１ａは基部１２に固定され、固定部１１ｂは中間部１３に固定され、そして固定部１１ｃは本体部１３に固定されることで、上記基部１２と中間部８及び本体部１３は互いに連結されている。
【００２３】
図４は本考案のツル２を外方向へ押し開いた場合を示している。ツル２を連結している蝶番６はバネ蝶番ではなく、その為に開いた状態のツル２をさらに外方向へ押し開くことは出来ない。しかし、本考案のツル２はその基部側に板バネ９を取付けていて、この板バネ９が撓み変形することでツル２は外方向へ撓んで押し開かれるように成っている。
【００２４】
すなわち、基部１２と中間部１３の間ではバネ部１０ａが曲げ変形し、中間部１３と本体部１３の間ではバネ部１０ｂが曲げ変形することが出来る。上記ツル２は撓み変形するが、バネ部１０ａが変形して基部１２に対して中間部８が撓み、またバネ部１０ｂが変形することで中間部８に対して本体部１３が撓むことが出来る。ヨロイ５と一直線状に延びている基部１２に対して、中間部８と本体部１３がそれぞれ同じ角度で撓むことが出来、ヨロイ５に対して連続した滑らかな撓み変形を呈すことが出来る。
【００２５】
したがって、ツル２を外方向へ押し開く際に折れ曲がった状態で撓み変形することはなく、メガネフレームの外観は損なわれない。
実施例で示したツル２は、基部１２と本体部１３との間に１個の中間部８を設けているが、２個乃至３個の中間部８，８・・・を介在することも可能である。そして、中間部８，８・・・の大きさ（長さ）及び個数を変えることでツル２の撓み変形を調整することも出来る。
【００２６】
ところで、基部１２と中間部８の間、及び中間部８と本体部１３の間には隙間７，７を有しているが、この隙間７の幅寸法は僅かであって、ツル２としての外観が損なわれることはなく、むしろこれら隙間７，７はツル２に設けた１つのデザインとしての効果を有す。
そして、実施例では２個のバネ部１０ａ，１０ｂを形成した板バネ９を用いているが、１つのバネ部１０を形成した個々の板バネ９，９にて基部１２と中間部８、及び中間部８と本体部１３を連結することも出来る。
【００２７】
また、隙間７はツル２が押し開かれて外方向へ撓み変形するならば、縮小することが出来、時には隙間７が無くなって基部１２と中間部８が当接し、中間部８と本体部１３が当接することが出来る。
このように、隙間７が無くなって各部材（基部１２、中間部８、本体部１３）が互いに当接するならば、それ以上の撓み変形は生じない。したがって、ツル２の撓み量を該隙間７の大きさで調整することが出来る。
【符号の説明】
【００２８】
１   フロント部
２   ツル
３   リム
４   連結部材
５   ヨロイ
６   蝶番
７   隙間
８   中間部
９   板バネ
10   バネ部
11   固定部
12   基部
13   本体部
【図１】
0003208601.tif 000003
【図２】
0003208601.tif 000004
【図３】
0003208601.tif 000005
【図４】
0003208601.tif 000006
【図５】
0003208601.tif 000007
【図６】
0003208601.tif 000008
【図７】
0003208601.tif 000009